(57)【要約】  ＲＥＤＨＯＴマルチスロット機能およびＨＵＧＥマルチスロット機能をネットワークに指示するように構成されているＷＴＲＵ（無線送信／受信ユニット）。ＲＥＤＨＯＴマルチスロット機能は、ＭＳクラスマーク３（Ｃｌａｓｓｍａｒｋ  ３）情報要素およびＭＳ無線アクセス機能（Ｒａｄｉｏ  Ａｃｃｅｓｓ  Ｃａｐａｂｉｌｉｔｙ）情報要素に含まれる。別の実施形態において、発展型ＧＥＲＡＮシステムのＤＬＤＣ操作が、シングルキャリアモードおよびデュアルキャリアモードの両方を含む。シングルキャリアモードにおける監視は、バッテリ消費を軽減する。デュアルキャリアモードを可能にするためのさまざまな技法が開示されている。
2010536262.tif 000002
【特許請求の範囲】
【請求項１】
ＷＴＲＵ（無線送信／受信ユニット）において使用する方法であって、
アップリンクデータを基地局に伝送するための電力レベルを計算するステップと、
前記アップリンクデータを変調するための変調方式を選択するステップと、
高次変調方式の選択に応答して電力オフセット値に従いアップリンク伝送電力レベルを調整するステップと、
前記調整されたアップリンク電力レベルにおいて前記アップリンクデータを伝送するステップと
を備えることを特徴とする方法。
【請求項２】
前記電力オフセット値を含むメッセージを基地局から受信するステップをさらに備えることを特徴とする請求項１に記載の方法。
【請求項３】
前記メッセージはＢＣＣＨ（ブロードキャスト制御チャネル）を介して受信されることを特徴とする請求項２に記載の方法。
【請求項４】
アップリンクデータを基地局に伝送するための電力レベルを計算し、
前記アップリンクデータを変調するための変調方式を選択し、
高次変調方式の選択に応答して電力オフセット値に従いアップリンク伝送電力レベルを調整するように構成されているプロセッサと、
前記調整されたアップリンク電力レベルにおいて前記アップリンクデータを伝送するように構成されている送信機と
を備えることを特徴とするＷＴＲＵ（無線送信／受信ユニット）。
【請求項５】
前記電力オフセット値を含むメッセージを基地局から受信するように構成されている受信機をさらに備えることを特徴とする請求項３に記載のＷＴＲＵ。
【請求項６】
前記メッセージはＢＣＣＨ（ブロードキャスト制御チャネル）を介して受信されることを特徴とする請求項５に記載のＷＴＲＵ。
【請求項７】
ＥＧＰＲＳ−２（ｅｎｈａｎｃｅｄ  ｇｅｎｅｒａｌ  ｐａｃｋｅｔ  ｒａｄｉｏ  ｓｅｒｖｉｃｅ  ２；拡張汎用パケット無線サービス２）ＷＴＲＵ（無線送信／受信ユニット）において使用する方法であって、
前記ＷＴＲＵのＧＰＲＳ（ｇｅｎｅｒａｌ  ｐａｃｋｅｔ  ｒａｄｉｏ  ｓｅｒｖｉｃｅ；汎用パケット無線サービス）マルチスロットクラスを決定するステップと、
前記ＷＴＲＵのＥＧＰＲＳ−２マルチスロット機能を決定するステップと、
前記ＷＴＲＵの前記決定されたＧＰＲＳマルチスロットクラスと前記ＷＴＲＵの前記決定されたＥＧＰＲＳ−２マルチスロット機能との相違の指示を含むメッセージを生成するステップと、
前記メッセージを基地局に伝送するステップと
を備えることを特徴とする方法。
【請求項８】
前記ＷＴＲＵの前記ＥＧＰＲＳ−２マルチスロット機能は、ＲＥＤＨＯＴ（ｒｅｄｕｃｅｄ  ｓｙｍｂｏｌ  ｄｕｒａｔｉｏｎ、ｈｉｇｈｅｒ  ｏｒｄｅｒ  ｍｏｄｕｌａｔｉｏｎ  ａｎｄ  ｔｕｒｂｏ  ｃｏｄｉｎｇ；減縮シンボル存続期間、高次変調およびターボ符号化）機能に関連することを特徴とする請求項７に記載の方法。
【請求項９】
前記ＷＴＲＵの前記ＥＧＰＲＳ−２マルチスロット機能は、ＨＵＧＥ（ｈｉｇｈｅｒ  ｕｐｌｉｎｋ  ｐｅｒｆｏｒｍａｎｃｅ  ｆｏｒ  ＧＥＲＡＮ  ｅｖｏｌｕｔｉｏｎ；ＧＥＲＡＮエボリューション用高速アップリンクパフォーマンス）機能に関連することを特徴とする請求項７に記載の方法。
【請求項１０】
前記ＷＴＲＵのＧＰＲＳ（ｇｅｎｅｒａｌ  ｐａｃｋｅｔ  ｒａｄｉｏ  ｓｅｒｖｉｃｅ；汎用パケット無線サービス）マルチスロットクラスを決定し、
前記ＷＴＲＵのＥＧＰＲＳ−２マルチスロット機能を決定するように構成されているプロセッサと、
前記ＷＴＲＵの前記決定されたＧＰＲＳマルチスロットクラスと前記ＷＴＲＵの前記決定されたＥＧＰＲＳ−２マルチスロット機能との相違の指示を含むメッセージを生成するように構成されているメッセージジェネレータと、
前記メッセージを基地局に伝送するように構成されている送信機と
を備えることを特徴とするＷＴＲＵ（無線送信／受信ユニット）。
【請求項１１】
前記ＷＴＲＵの前記ＥＧＰＲＳ−２マルチスロット機能は、ＲＥＤＨＯＴ（ｒｅｄｕｃｅｄ  ｓｙｍｂｏｌ  ｄｕｒａｔｉｏｎ、ｈｉｇｈｅｒ  ｏｒｄｅｒ  ｍｏｄｕｌａｔｉｏｎ  ａｎｄ  ｔｕｒｂｏ  ｃｏｄｉｎｇ；減縮シンボル存続期間、高次変調およびターボ符号化）機能に関連することを特徴とする請求項１０に記載のＷＴＲＵ。
【請求項１２】
前記ＷＴＲＵのＥＧＰＲＳ−２マルチスロット機能は、ＨＵＧＥ（ｈｉｇｈｅｒ  ｕｐｌｉｎｋ  ｐｅｒｆｏｒｍａｎｃｅ  ｆｏｒ  ＧＥＲＡＮ  ｅｖｏｌｕｔｉｏｎ；ＧＥＲＡＮエボリューション用高速アップリンクパフォーマンス）機能に関連することを特徴とする請求項１０に記載のＷＴＲＵ。
【請求項１３】
ＤＬＤＣ（ダウンリンクデュアルキャリア）対応のＷＴＲＵ（無線送信／受信ユニット）において使用する方法であって、
２次搬送波がアイドル状態にある間、前記ＷＴＲＵに関連付けられているＴＦＩ（伝送フォーマットインジケータ）について主搬送波を監視するステップと、
前記主搬送波での前記ＷＴＲＵに関連付けられているＴＦＩの受信に応答して、前記２次搬送波をアクティブ化するステップと、
前記主搬送波および前記２次搬送波の両方でダウンリンクデータを受信するステップと
を備えることを特徴とする方法。
【請求項１４】
前記主搬送波および前記２次搬送波の両方でダウンリンクデータを受信するステップは、前記ＷＴＲＵに関連付けられているＴＦＩの受信から時間単位のオフセット後に開始することを特徴とする請求項１３に記載の方法。
【請求項１５】
前記オフセットは、前記ＷＴＲＵに関連付けられているＴＦＩを受信した後の無線ブロックの数であり、前記オフセットは基地局からのメッセージで受信されることを特徴とする請求項１４に記載の方法。
【請求項１６】
ＤＬＤＣ（ダウンリンクデュアルキャリア）操作を行うことができるＷＴＲＵ（無線送信／受信ユニット）であって、
主搬送波および２次搬送波を介して基地局からダウンリンク伝送を受信するように構成されている受信機と、
前記ＷＴＲＵに関連付けられているＴＦＩ（伝送フォーマットインジケータ）を検出するために前記主搬送波を介して受信された伝送を監視するように構成されているＤＬＤＣプロセッサとを備え、
前記ＷＴＲＵに関連付けられているＴＦＩの検出に応答して、前記ＤＬＤＣプロセッサはさらに、前記２次搬送波を介して受信された伝送を処理するように構成されていることを特徴とするＷＴＲＵ。
【請求項１７】
前記ＤＬＤＣプロセッサは、前記２次搬送波を介して受信された伝送を処理する前に、前記ＷＴＲＵに関連付けられているＴＦＩを検出した後に時間単位のオフセットの間待機するようにさらに構成されていることを特徴とする請求項１６に記載のＷＴＲＵ。
【請求項１８】
前記受信機は、基地局からのオフセットを含むメッセージを受信するようにさらに構成されており、前記オフセットは、前記ＷＴＲＵに関連付けられているＴＦＩの検出後の無線ブロックの数であることを特徴とする請求項１７に記載のＷＴＲＵ。
【発明の詳細な説明】
【技術分野】
【０００１】
本明細書において開示される主題は、無線通信に関する。
【背景技術】
【０００２】
ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）ＥＤＧＥ（Ｅｎｈａｎｃｅｄ  Ｄａｔｅ  Ｒａｔｅ  ｆｏｒ  ＧＳＭ  Ｅｖｏｌｕｔｉｏｎ）Ｒａｄｉｏ  Ａｃｃｅｓｓ  Ｎｅｔｗｏｒｋ（ＧＥＲＡＮ）のエボリューション（進化）は、既存のＧＳＭおよびＥＤＧＥベースのセルラーネットワーク標準（規格）の継続的な機能拡張である。いくつかの顕著な機能拡張は、ＤＬＤＣ（ｄｏｗｎｌｉｎｋ  ｄｕａｌ  ｃａｒｒｉｅｒ；ダウンリンクデュアルキャリア；ダウンリンク二重搬送波）機能、ＲＴＴＩ（ｒｅｄｕｃｅｄ  ｔｒａｎｓｍｉｓｓｉｏｎ  ｔｉｍｅ  ｉｎｔｅｒｖａｌ；縮小伝送時間間隔）およびＦＡＮＲ（ｆａｓｔ  ＡＣＫ／ＮＡＣＫ  ｒｅｐｏｒｔｉｎｇ；高速ＡＣＫ／ＮＡＣＫレポーティング）機能を含むＬＡＴＲＥＤ（ｌａｔｅｎｃｙ  ｒｅｄｕｃｔｉｏｎ；遅延軽減）、ダウンリンクでの高次変調、高速シンボルレート、およびターボ符号化（ｔｕｒｂｏ−ｃｏｄｉｎｇ）を含むＲＥＤＨＯＴ（ｒｅｄｕｃｅｄ  ｓｙｍｂｏｌ  ｄｕｒａｔｉｏｎ  ｈｉｇｈｅｒ  ｏｒｄｅｒ  ｍｏｄｕｌａｔｉｏｎ  ａｎｄ  ｔｕｒｂｏ  ｃｏｄｉｎｇ；縮小シンボル区間高次変調とターボ符号化）を含むＥＧＰＲＳ−２（ｅｎｈａｎｃｅｄ  ｇｅｎｅｒａｌ  ｐａｃｋｅｔ  ｒａｄｉｏ  ｓｅｒｖｉｃｅ  ２；拡張型汎用パケット無線サービス２）機能、ならびにＨＵＧＥ（ｈｉｇｈｅｒ  ｕｐｌｉｎｋ  ｐｅｒｆｏｒｍａｎｃｅ  ｆｏｒ  ＧＥＲＡＮ  ｅｖｏｌｕｔｉｏｎ；ＧＥＲＡＮエボリューション用高速アップリンクパフォーマンス）機能を含む。
【０００３】
ＬＡＴＲＥＤ（Ｌａｔｅｎｃｙ  Ｒｅｄｕｃｔｉｏｎ；遅延軽減）は、伝送遅延を軽減し、データスループットを増大させて、より優れたサービス品質（ＱｏＳ）を提供するように設計されている。ＬＡＴＲＥＤは、２つに技術で構成される。第１のＬＡＴＲＥＤ技術は、ＲＴＴＩ（ｒｅｄｕｃｅｄ  ｔｒａｎｓｍｉｓｓｉｏｎ  ｔｉｍｅ  ｉｎｔｅｒｖａｌ；縮小伝送時間間隔）動作モードである。第２のＬＡＴＲＥＤ技術は、ＦＡＮＲ（ｆａｓｔ  ＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）ｒｅｐｏｒｔｉｎｇ；高速肯定応答／否認応答レポーティング）動作モードである。
【０００４】
ＲＴＴＩ機能およびＦＡＮＲ機能のいずれも、単独または相互に連動して動作することができる。さらに、ＲＴＴＩ機能およびＦＡＮＲ機能はいずれも、ＥＧＰＲＳの変調−符号化方式のＭＣＳ−１からＭＣＳ−９（ＦＡＮＲの動作モードが可能ではないＭＣＳ−４およびＭＣＳ−９の場合を除く）と共に使用することも、あるいは新規のリリース（Ｒｅｌｅａｓｅ）７でＥＧＰＲＳ−２の変調−符号化方式を超えるＤＡＳ−５からＤＡＳ−１２、ＤＢＳ−５からＤＢＳ−１２、ＵＡＳ−７からＵＡＳ−１１、およびＵＢＳ−５からＵＢＳ−１２と共に使用することもできる。ＲＴＴＩおよびＦＡＮＲの動作モードはいずれも、ＤＬＤＣおよびＤＡＲＰ（Ｄｏｗｎｌｉｎｋ  Ａｄｖａｎｃｅｄ  Ｒｅｃｅｉｖｅｒ  Ｐｅｒｆｏｒｍａｎｃｅ；ダウンリンク高度受信機パフォーマンス）操作と共にでも実行できる。
【０００５】
図１を参照すると、高水準ＧＥＲＡＮネットワークアーキテクチャ１００が示されている。ＷＴＲＵ（無線送信／受信ユニット）１０５は、エア（無線）インターフェイス１１５を介して基地局１１０と通信する。基地局１１０は、有線インターフェイスを介してＢＳＣ（基地局コントローラ）１２０と通信する。基地局１１０およびＢＳＣ１２０は、ＢＳＳ（基地局サブシステム）１２５を形成する。ＢＳＳ１２５は、ＢＳＣ１２０と有線インターフェイスとを介して、移動通信交換局（ｍｏｂｉｌｅ  ｓｗｉｔｃｈｉｎｇ  ｃｅｎｔｅｒ）１３０およびＧＰＲＳ（ｇｅｎｅｒａｌ  ｐａｃｋｅｔ  ｒａｄｉｏ  ｓｅｒｖｉｃｅ；汎用パケット無線サービス）ＣＮ（コアネットワーク；基幹回線網）１３５と通信する。ＭＳＣ１３０は、他のモバイルネットワーク（移動通信網）のみならず、公衆交換電話網（ＰＳＴＮ）１４０のような従来の有線電話ネットワークと接続するための交換サービスを提供する。ＧＰＲＳ  ＣＮ１３５は、ＷＴＲＵ１０５にデータサービスを提供するもので、サービングＧＰＲＳサポートノード（ＳＧＳＮ）１４５およびゲートウェイＧＰＲＳサポートノード（ＧＧＳＮ）１５０を含む。ＧＧＳＮ１５０は、インターネットおよびその他のデータサービス提供に接続することができる。
【０００６】
ＤＬＤＣ操作は、ＵＬ（アップリンク）および／またはＤＬ（ダウンリンク）ＴＢＦ（一時ブロックフロー）に２つの無線周波数チャネルを使用し、および／または基地局とＷＴＲＵとの間の通信に専用リソースを使用する。パケット交換（ＰＳ）モードにおいて、ＵＬ  ＴＢＦに関わるＲＬＣ／ＭＡＣ（Ｒａｄｉｏ  Ｌｉｎｋ  Ｃｏｎｔｒｏｌ／Ｍｕｌｔｉｐｌｅ  Ａｃｃｅｓｓ  Ｃｏｎｔｒｏｌ；無線リンク制御／多重アクセス制御）ブロックは、１つの無線ブロック期間に１つの無線周波数チャネルのみで伝送されるが（「シングルキャリア」モードとして知られる）、ＤＬ  ＴＢＦに関わるＲＬＣ／ＭＡＣブロックは、１つの無線ブロック期間に２つの無線周波数チャネルで伝送することも可能である（ＤＬＤＣとして知られる）。
【０００７】
ＧＰＲＳおよびＥＧＰＲＳ（ｅｎｈａｎｃｅｄ  ＧＰＲＳ；拡張型ＧＰＲＳ）のような、ＰＳモードでのリソース割り振りは対称性をもっていないので、ＷＴＲＵは、ＵＬで、ＤＬで、またはＵＬおよびＤＬの両方で同時に、利用可能な無線リソース（たとえば、ＴＢＦ）を有する。ＷＴＲＵがＤＬ  ＴＢＦ割り当てを受信するときには、ＷＴＲＵは、受信したヘッダ内の割り当てられたＤＬ  ＴＢＦに対応するＴＦＩ（Ｔｅｍｐｏｒａｒｙ  Ｆｌｏｗ  Ｉｄｅｎｔｉｔｙ；一時フロー識別）値について、割り当てられたタイムスロット期間中においてすべてのＤＬ無線ブロックを監視する。ＵＬにおいて、ＷＴＲＵは、対応するＵＳＦ（ＵＬ  Ｓｔａｔｅ  Ｆｌａｇ；ＵＬ状態フラグ）を使用して、１つまたは複数のタイムスロットが割り当てられる。ＷＴＲＵは、割り当てられたタイムスロットですべてのＤＬ無線ブロックを監視し、割り当てられたＵＳＦを検出すると、ＷＴＲＵはＵＬ通信のために次の無線ブロックを使用する。
【０００８】
ＤＬＤＣ操作では、ＷＴＲＵが２つのＤＬ搬送波を同時に監視することが必要となる。２つのＤＬ搬送波を監視することは、ＷＴＲＵのバッテリ消費に悪影響を及ぼす。シングルキャリアモードにおいて、ＷＴＲＵは、ＤＬ  ＰＤＣＨ（Ｐａｃｋｅｔ  Ｄａｔａ  Ｃｈａｎｎｅｌ；パケットデータチャネル）を監視し、すべての無線ブロックのＲＬＣ／ＭＡＣヘッダ部分を復号化しようと試みる。しかし、ほとんどの場合、同じＤＬ  ＰＤＣＨリソースが複数のＷＴＲＵによって共用されているので、このプロセスは役立たず、ＷＴＲＵの電力リソースを消耗する。このレガシーのＥＧＰＲＳ技術をＤＬＤＣ操作に拡張すると、ＷＴＲＵが２つのＤＬ搬送波をすぐに監視しなければならないので、ＷＴＲＵのバッテリ消耗は悪化することになる。シングルキャリアで単一のＰＤＣＨのみを監視するＷＴＲＵの自明の解決法は、ＤＬＤＣモードにおけるデータ伝送のための柔軟性および多重化ゲインを大幅に制約することになろう。
【０００９】
ＭＳＲＤ（Ｍｏｂｉｌｅ  Ｓｔａｔｉｏｎ  Ｒｅｃｅｉｖｅ  Ｄｉｖｅｒｓｉｔｙ；移動局受信ダイバーシティ）、またはＤＡＲＰ  Ｐｈａｓｅ（フェーズ）ＩＩ、対応可能なＷＴＲＵと組み合わせたＤＬＤＣの実施態様は、ＤＬＤＣモードで第２の搬送波を受信する目的のためのＷＴＲＵの重複する無線周波数ハードウェアが、ＭＳＲＤ操作に再使用することができるので、特に有利である。上記で説明されているように、ＤＬＤＣは、ネットワークによるスケジューリング効率の良さおよびネットワークとＷＴＲＵ間の達成できるスループットレートという点で、顕著な利点を示している。ＭＳＲＤ、またはＤＡＲＰ  Ｐｈａｓｅ  ＩＩは、リンクのローバストネス（頑健性）やエラー率の減少だけではなく、ネットワーク側からの干渉低減の観点からも、ゲインを考慮に入れている。
【００１０】
ＭＳＲＤは、ＷＴＲＵにおいてさまざまな方法で実施可能であるが、典型的には２つのＲＦ処理チェーンが、シングルキャリア周波数に同調して処理する。これが、第２のＲＦチェーンがＭＳＲＤの目的で使用されて、ＤＬＤＣの第２の搬送波に同調することができないので、同時にＤＬＤＣが実施されることを妨げている。したがって、２つの搬送波でのＤＬＤＣの監視および受信、ならびに１つの搬送波で受信された信号についてのＭＳＲＤ受信を可能にするスイッチング機構が望ましい。
【００１１】
ＷＴＲＵは、ＭＳ  Ｃｌａｓｓｍａｒｋ  ＩＥ（Ｔｙｐｅ  １、２、または３）、ＭＳ  ＲＡＣ（ＭＳ  Ｒａｄｉｏ  Ａｃｃｅｓｓ  Ｃａｐａｂｉｌｉｔｙ；  ＭＳ無線アクセス機能）ＩＥ、またはＭＳ  ＮＷ  Ｃａｐａｂｉｌｉｔｙ（ＭＳ  Ｎｅｔｗｏｒｋ  Ｃａｐａｂｉｌｉｔｙ；ＭＳネットワーク可能性）ＩＥを伝送することによってＧＳＭまたはＥＧＰＲＳネットワークにさまざまな機能を指示することができる。これらのＩＥは、ＷＴＲＵの完全なＧＳＭ／ＧＰＲＳ／ＥＤＧＥ機能を含む。
【００１２】
サービスが回線交換（ＣＳ；ｃｉｒｃｕｉｒｔ  ｓｗｉｔｃｈｅｄ）ドメイン（領域）でセットアップされると、ＷＴＲＵは、ＭＳ  Ｃｌａｓｓｍａｒｋ  ＩＥをネットワークに伝送する。通常、ＷＴＲＵは、ＭＳ  Ｃｌａｓｓｍａｒｋ  ＩＥを含む「ＮＡＳ  ＣＭ  Ｓｅｒｖｉｃｅ  Ｒｅｑｕｅｓｔ（ＮＡＳ  ＣＭサービス要求）」または「ＲＲ  Ｐａｇｉｎｇ  Ｒｅｓｐｏｎｓｅ（ＲＲページング応答）」メッセージをネットワークに送信する。サービスがパケット交換（ＰＳ；ｐａｃｋｅｔ  ｓｗｉｔｃｈｅｄ）ドメインでセットアップされると、ＷＴＲＵは、ＭＳ  ＲＡＣ  ＩＥおよびＭＳ  ＮＷ  Ｃａｐａｂｉｌｉｔｙ  ＩＥをネットワークに送信する。通常、ＷＴＲＵは、ＭＳ  ＲＡＣ  ＩＥおよびＭＳ  ＮＷ  Ｃａｐａｂｉｌｉｔｙ  ＩＥを含む「Ａｔｔａｃｈ  Ｒｅｑｕｅｓｔ（アタッチ要求）」または「Ｒｏｕｔｉｎｇ  Ａｒｅａ  Ｕｐｄａｔｅ  Ｒｅｑｕｅｓｔ（ルーティングエリア更新要求）」メッセージをネットワークに送信する。
【００１３】
ＭＳ  Ｃｌａｓｓｍａｒｋ  ＩＥは、Ｔｙｐｅ１、２、または３という３つの異なるタイプのうちの１つとすることができる。図２を参照すると、ＭＳ  Ｃｌａｓｓｍａｒｋ  ＩＥの各タイプは、異なる長さ（オクテットの数）であり、異なるコンテンツ（内容）を搬送する。ＭＳ  Ｃｌａｓｓｍａｒｋ  Ｔｙｐｅ  １  ＩＥ  ２１０は、１オクテットの情報を含む。ＭＳ  Ｃｌａｓｓｍａｒｋ  Ｔｙｐｅ  １  ２１０は、必須であり、通常は「Ｌｏｃａｔｉｏｎ  Ｕｐｄａｔｅ  Ｒｅｑｕｅｓｔ(位置更新要求)」メッセージまたは「ＩＭＳＩ  Ｄｅｔａｃｈ  Ｉｎｄｉｃａｔｉｏｎ（ＩＭＳＩ消去指示）」メッセージのようなＮＡＳ（ｎｏｎ−ａｃｃｅｓｓ  ｓｔｒａｔｕｍ；非アクセス層）メッセージで送信される。ＭＳ  Ｃｌａｓｓｍａｒｋ  Ｔｙｐｅ  １  ＩＥ  ２１０は、５つのオクテットのうちの３つ目のオクテットとしてＭＳ  Ｃｌａｓｓｍａｒｋ  Ｔｙｐｅ  ２  ＩＥ  ２２０に完全に含まれている。Ｃｌａｓｓｍａｒｋ  Ｔｙｐｅ  ２  ＩＥ  ２２０は、ＭＳ  Ｃｌａｓｓｍａｒｋ  Ｔｙｐｅ  ３  ＩＥ  ２４０のさらなる可用性を指示するフラグビット２３０を含む。ＭＳ  Ｃｌａｓｓｍａｒｋ  Ｔｙｐｅ  ３  ＩＥ  ２４０は、最も長いＭＳ  Ｃｌａｓｓｍａｒｋ  ＩＥのタイプである。
【００１４】
ネットワークがＭＳ  Ｃｌａｓｓｍａｒｋ  Ｔｙｐｅ  ３  ＩＥを取得するには２つの方法がある。ＭＳ  Ｃｌａｓｓｍａｒｋ  Ｔｙｐｅ  ３は、ＲＲ（無線リソース）「Ｃｌａｓｓｍａｒｋ  Ｃｈａｎｇｅ（クラスマーク変更）」メッセージに含ませることができ、このメッセージはＲＲメッセージを必要とすることを示すＢＣＣＨ（Ｂｒｏａｄｃａｓｔ  Ｃｏｎｔｒｏｌ  Ｃｈａｎｎｅｌ；ブロードキャスト制御チャネル）システム情報ビットの受信に応答してＷＴＲから送られるものである。代替として、ネットワークが、ＲＲ「Ｃｌａｓｓｍａｒｋ  Ｅｎｑｕｉｒｙ（クラスマーク照会）」メッセージを介してＷＴＲＵをポーリングしてもよい。ＷＴＲＵは、「Ｃｌａｓｓｍａｒｋ  Ｃｈａｎｇｅ（クラスマーク変更）」メッセージを送信することによってポーリングで応答してもよい。
【００１５】
ＮＡＳ  Ａｔｔａｃｈ  Ｒｅｑｕｅｓｔ（ＮＡＳアタッチ要求）メッセージは、ＭＳ  ＮＷ  Ｃａｐａｂｉｌｉｔｙ  ＩＥおよびＭＳ  ＲＡＣ  ＩＥを含む。ＮＡＳ  Ａｔｔａｃｈ  Ｒｅｑｕｅｓｔメッセージは通常、ＧＰＲＳ  ＣＮ（コアネットワーク）エントリに際してＷＴＲＵから伝送される。サービングＧＰＲＳサポートノード（ＳＧＳＮ）は通常、ＭＳ  ＲＡＣ  ＩＥをＢＳＳ（基地局サブシステム）に転送する。ＭＳ  ＮＷ  Ｃａｐａｂｉｌｉｔｙ  ＩＥは、コアネットワークに、より多く関連しているので、通常ＢＳＳには転送されない。
【００１６】
従来技術のＧＥＲＡＮの進展の、つまりＧＳＭ／ＥＧＲＰＳ準拠の、ＷＴＲＵは、デュアルキャリア（二重搬送波）モードでの操作のための新規なマルチスロット機能を指示することによりＤＬＤＣ機能のサポートを暗黙的に示す。ＷＴＲＵのＤＬＤＣ機能は、デュアルキャリアモードでＥＧＰＲＳマルチスロット機能と共にネットワークへ指示される。ＷＴＲＵのマルチスロットクラスを指示する（言い換えるとＷＴＲＵが処理することができるＵＬタイムスロットおよびＤＬタイムスロットの最大数を指示する）ビットに加えて、ＭＳ  Ｃｌａｓｓｍａｒｋ  Ｔｙｐｅ  ３およびＲＳ  ＲＡＣ  ＩＥに存在する３ビットの機能フィールドが、デュアルキャリア機能のための最大タイムスロット数の減少の信号を送る。そのフィールドは、以下のように符号化される。
【００１７】
【表１】
2010536262.tif 000003
【００１８】
加えて、ＤＬＤＣがＥＧＰＲＳ  ＤＴＭ（ｄｕａｌ  ｔｒａｎｓｆｅｒ  ｍｏｄｅ；デュアル転送モード）についてサポートされるかどうかの指示は、ＭＳ  Ｃｌａｓｓｍａｒｋ  Ｔｙｐｅ  ３およびＭＳ  ＲＡＣ  ＩＥに含まれる。ＤＴＭ機能フィールドのＤＬＤＣは、ＷＴＲＵがＤＴＭおよびＤＬＤＣ同時操作をサポートするかどうかを指示する１ビットフィールドである。このフィールドは、以下のように符号化される。
【００１９】
【表２】
2010536262.tif 000004
【００２０】
ＷＴＲＵが、このフィールドのビット１によって指示されるようにＤＴＭおよびＤＬＤＣ操作をサポートする場合、ＭＳ  Ｒａｄｉｏ  Ａｃｃｅｓｓ  Ｃａｐａｂｉｌｉｔｙ  ＩＥ（ＭＳ無線アクセス機能ＩＥ）に提供されるＭｕｌｔｉ−ｓｌｏｔ  Ｃａｐａｂｉｌｉｔｙ  Ｒｅｄｕｃｔｉｏｎ  ｆｏｒ  ＤＬＤＣ（ＤＬＤＣ用マルチスロット機能縮小）フィールドは、ＥＧＰＲＳ  ＤＴＭサポートにも同様に適用可能であり、ＭＳ  Ｃｌａｓｓｍａｒｋ  ３  ＩＥで提供されるＭｕｌｔｉ−ｓｌｏｔ  Ｃａｐａｂｉｌｉｔｙ  Ｒｅｄｕｃｔｉｏｎ  ｆｏｒ  ＤＬＤＣフィールドと同じ値を含まなければならない。
【００２１】
ＥＧＰＲＳ  ＬＡＴＲＥＤ機能フィールドは、ＲＴＴＩ構成およびＦＡＮＲに対するＷＴＲＵのサポートを指示する１ビットフィールドである。
【００２２】
【表３】
2010536262.tif 000005
【００２３】
ＥＧＰＲＳ−２の機能であるＲＥＤＨＯＴまたはＥＧＰＲＳ−２  ＤＬ、およびＨＵＧＥまたはＥＧＰＲＳ−２  ＵＬは別個の性能のものである。ＷＴＲＵは、ＲＥＤＨＯＴおよびＨＵＧＥ（レベルＡ、Ｂ、およびＣ）の異なるレベルを別個に実施することができる。ＲＥＤＨＯＴ  Ａ、またはＥＧＰＲＳ−２Ａ  ＤＬおよびＨＵＧＥ  Ｂ、またはＥＧＰＲＳ−２Ｂ  ＵＬを実施するＷＴＲＵのような、組合せが可能である。ＲＥＤＨＯＴまたはＨＵＧＥを使用する場合であっても、待ち時間軽減機能（ＲＴＴＩおよびＦＡＮＲ）は、ＥＤＧＥ準拠のネットワークのみではなく、ＥＧＰＲＳおよび新しい標準のリリースと共に自動的に動作する必要がある。
【００２４】
ＲＥＤＨＯＴおよびＨＵＧＥは、レガシー（古い技術・仕様の）ＧＰＲＳおよびＥＤＧＥに比べて、平均データ転送速度を大幅に増大させる。ＷＴＲＵが、たとえばフレームあたり５つの受信（Ｒｘ）および２つの送信（Ｔｘ）タイムスロットなどの、そのマルチスロット機能をネットワークに信号で送る場合、ＷＴＲＵは、その結果、すべての５つのＲｘタイムスロットでＲＥＤＨＯＴバーストを受信し、復調して、復号化できることが理論上要求されることになる。しかし、ＷＴＲＵは、ベースバンドリソースが限られているため、増大したデータ受信速度で送ることが困難である場合もある。ＲＥＤＨＯＴ対応のＷＴＲＵの市場への漸進的導入を容易にするため、縮小ＲＥＤＨＯＴタイムスロット操作を考慮に入れることが望ましい。たとえば、ＷＴＲＵが、そのＥＧＰＲＳマルチスロットクラスによって指示される５つのＲｘタイムスロットを信号で送ることができる場合でも、５つのうち３つのＲｘタイムスロットのみが、ＷＴＲＵに送信されたＲＥＤＨＯＴバーストの任意の所定のフレームでネットワークによって使用されることができる、とすることが可能である。
【発明の概要】
【発明が解決しようとする課題】
【００２５】
処理の制約、増大する変調次数および無線周波数フィルタの要件に加えて、その他の要因が電力消費および熱放散に影響を与える。ＨＵＧＥの場合、これは結果として、ＷＴＲＵが、現在の既存の（Ｅ）ＧＰＲＳマルチスロットクラス定義によって規定されている完全伝送タイムスロット操作を行うことを妨げる熱制約をもたらすこともある。同様に、伝送マルチスロットの縮小セットは（レガシーＥＧＰＲＳマルチスロットクラスと比較すると）、処理リソースの漸進的配置および漸進的アップグレード（性能向上）を可能にし、しかもＥＧＰＲＳ−２機能ＨＵＧＥおよびＲＥＤＨＯＴによって提供されるより高い無線効率動作モードを可能にするであろう。
【００２６】
ＲＥＤＨＯＴおよびＨＵＧＥの特性により、つまりより高次の変調およびより高いシンボルレートを使用するので、干渉および隣接チャネル干渉は、ネットワークオペレータが考慮すべき重要な課題である。より高い周波数における操作はまた、より高い電力消費をまねく場合もある。
【００２７】
ＤＬＤＣ、ＲＥＤＨＯＴ、およびＨＵＧＥ操作モードを含むＧＥＲＡＮエボリューション（ｅｖｏｌｕｔｉｏｎ）によりＷＴＲＵリソースに発行される要求が高まっているので、リソースを振り分けて機能を指示するメカニズムが求められている。
【課題を解決するための手段】
【００２８】
ＲＥＤＨＯＴおよびＨＵＧＥマルチスロット機能をネットワークに指示するように構成された無線送信／受信ユニット（ＷＴＲＵ）である。ＲＥＤＨＯＴマルチスロット機能は、ＭＳ  Ｃｌａｓｓｍａｒｋ（クラスマーク）３の情報要素およびＭＳ  Ｒａｄｉｏ  Ａｃｃｅｓｓ  Ｃａｐａｂｉｌｉｔｙ（ＭＳ無線アクセス能力）の情報要素に含まれている。別の実施形態において、発展型（ｅｖｏｌｖｅｄ）ＧＥＲＡＮシステムのＤＬＤＣ操作は、シングルキャリアモードおよびデュアルキャリアモードの両方を含む。シングルキャリアモードでの監視は、バッテリ消費を軽減する。デュアルキャリアモードを可能にするためのさまざまな技法を開示する。
【図面の簡単な説明】
【００２９】
【図１】ＧＳＭ  ＥＤＧＥ無線アクセスネットワークを示すブロック図である。
【図２】ＭＳ  Ｃｌａｓｓｍａｒｋ  ＩＥを示す図である。
【図３Ａ】ＤＬＤＣモードにおいて搬送波を割り振る方法を示す流れ図である。
【図３Ｂ】ＤＰＤＣモードにおいて搬送波を割り振る方法を示す信号図である。
【図４】ＷＴＲＵ機能を動的に決定してネットワークに信号を送る方法を示す流れ図である。
【図５】ＷＴＲＵおよび基地局を示すブロック図である。
【発明を実施するための形態】
【００３０】
本明細書において参照させる場合、「ＷＴＲＵ（無線送信／受信ユニット）」という技術用語は、ユーザ機器（ＵＥ）、移動局（ＭＳ）、固定または移動加入者ユニット、ページャー（ポケットベル）、携帯電話、携帯情報端末（ＰＤＡ）、コンピュータ、または無線環境において動作することのできる他の任意の種類のユーザ装置を含むが、これらに限定されることはない。本明細書において参照される場合、「基地局」という技術用語はＮｏｄｅ−Ｂ（ノードＢ）、サイトコントローラ、アクセスポイント（ＡＰ）、または無線環境において動作することのできる他の任意の種類のインターフェイス接続装置を含むが、これらに限定されることはない。
【００３１】
１つの実施形態において、図３Ａを参照すると、ＷＴＲＵは、主搬送波（Ｃ１）および２次搬送波（Ｃ２）という２つの別個の搬送波を割り当てられる（ステップ３１０）。ＷＴＲＵは、どの搬送波が主搬送波（Ｃ１）であり、どの搬送波が２次搬送波（Ｃ２）であるかについての指示をネットワークから受信する（ステップ３２０）。主搬送波（Ｃ１）および２次搬送波（Ｃ２）の割り当ては、当業者にとって明らかとなる多数の方法で行われてもよいことに留意されたい。単に例として、受信パケット割り当ての時間の順序は、どの搬送波が主であるかを暗黙的に指示することができる。代替として、ここでも単に例として、割り当てメッセージは、Ｃ１またはＣ２として搬送波の明示的な指定を含むことができる。レガシーＧＰＲＳまたは（Ｅ）ＧＰＲＳに一般に使用される既存パケット割り当てメッセージの拡張は、この目的で使用されてもよい。
【００３２】
主搬送波（Ｃ１）および２次搬送波（Ｃ２）の指定に続いて、ＷＴＲＵは、主搬送波（Ｃ１）のみでＵＳＦ割り振り、現に存在する場合のＰＡＮデータ、および任意のパケット制御ブロックを受信する。ＷＴＲＵは、上記のメッセージのいずれかを受信するために、主搬送波（Ｃ１）のみを監視する（ステップ３３０）。これにより、ＷＴＲＵおよびネットワークは、ＤＬＤＣが引き続き有効になっている場合であっても、シングルキャリア受信に一時的に復帰することができる。その結果、ＷＴＲＵによる電力消費が軽減される。
【００３３】
その後、ＤＬデータがＷＴＲＵにより送信および受信される準備が整うと、第１の無線ブロックは主搬送波（Ｃ１）で送信および受信されると、１つまたは複数の後続の無線ブロックが主搬送波（Ｃ１）および２次搬送波（Ｃ２）の両方で送信および受信される。主搬送波（Ｃ１）のみを監視していたＷＴＲＵは、第１のＤＬ無線ブロックを受信し、ヘッダ内にそれ自身のＴＦＩを検出する（ステップ３４０）。次いで、ＷＴＲＵは、標準的なＤＬＤＣ実施態様で次の無線ブロックから前方に主搬送波（Ｃ１）および２次搬送波（Ｃ２）の両方を監視する（ステップ３５０）。その結果、ＷＴＲＵは、アイドル期間中に省エネしながら、なんらの無線ブロックも失うことなくすべてのＤＬ無線ブロックを受信することができることとなる。ネットワークは、任意のＲＬＣ／ＭＡＣブロック（たとえば、ＲＬＣ／ＭＡＣのデータブロックまたは制御ブロック／セグメント／メッセージ）を使用して、ＷＴＲＵのフルＤＬＤＣ受信モードへの切り替えを開始することができることに留意されたい。
【００３４】
同様に、図３Ｂを参照すると、１つの実施形態によるＤＬＤＣ操作を示す信号図が、基地局３５０およびＷＴＲＵ３５５を含んでいる。主搬送波（Ｃ１）によって、基地局３５０は、搬送波割り当てメッセージをＷＴＲＵ３５５に伝送する（ステップ３６０）。その後、ＷＴＲＵ３５５は、主搬送波（Ｃ１）を監視する。主搬送波（Ｃ１）によりＷＴＲＵ固有のＴＦＩを含むＤＬデータを受信すると（ステップ３６５）、ＷＴＲＵはＤＬＤＣ操作を開始して、主搬送波（Ｃ１）および２次搬送波（Ｃ２）の両方でＤＬ無線ブロックを受信する。ＷＴＲＵは、直ちに、またはオプション（任意選択）のオフセットの後に、主搬送波（Ｃ１）および２次搬送波（Ｃ２）の両方を使用してＤＬ無線ブロックの受信を開始することができる。オプションのオフセットが使用される事例では、フルＤＬＤＣモードで主搬送波（Ｃ１）および２次搬送波（Ｃ２）の両方によりさらにＤＬ無線ブロックを受信する前に、複数の無線ブロックＲＢ1．．．ＲＢnが主搬送波（Ｃ１）で受信される。
【００３５】
オプションのオフセットは、あらかじめ定められるか、または設定（変更）可能であってもよく、前もってネットワークおよびＷＴＲＵの両方によって知られているか、または信号で送られてもよい。代替として、上記で説明されたオフセットの後に主搬送波（Ｃ１）および２次搬送波（Ｃ２）の両方で伝送を行うのに代わって、ＤＬデータが、主搬送波（Ｃ１）のみで、または２次搬送波（Ｃ２）のみで、または主搬送波（Ｃ１）と２次搬送波（Ｃ２）の両方で送信および受信されるか、もしくはいずれの搬送波によって伝送されなくてもよい。この伝送は、これらの４つのモードの間を動的に切り替えることができる。ＷＴＲＵが両方の搬送波（Ｃ１）および（Ｃ２）を絶えず監視している状態にある間、ＷＴＲＵに向けられたＤＬデータは失われることはない（ただし、チャネル障害に起因する場合を除く）。
【００３６】
上記の方法は、ＤＬＤＣモードにあるときに搬送波Ｃ１とＣ２とを切り替えるためのＷＴＲＵおよびネットワークの動作のルールを定義することによって組み合わされてもよい。たとえば、指定された期間中、マルチフレーム構造の特定のフレーム中、または特定のタイプのイベントの発生を条件として、ＷＴＲＵのシングルキャリア（ＳＣ）またはデュアルキャリア（ＤＣ）受信モードを指図するルールが定義されてもよい。たとえば、ネットワークは、ＴＢＦ割り当ての時点において、ＳＣ／ＤＣモードのパターンをＷＴＲＵに信号で送ることができる。ＳＣモードの割り当てでは、監視されるべき特定の搬送波は、ＷＴＲＵに信号で通知されるか、またはあらかじめ定められてもよい。さまざまな他のイベント（事象）が、ＤＬＤＣ操作のＳＣモードおよびＤＣモード間の遷移をトリガするために使用されてもよい。単に例として、両方の搬送波で受信された前回の伝送またはタイマーを定義する受信された特定のタイプの伝送の発生以降のタイマー値、ＲＬＣ／ＭＡＣヘッダの一部として受信されたシグナリングビット、明示的な切り替えコマンドと共にＷＴＲＵによって受信されたシグナリングメッセージはすべて、ＤＬＤＣ操作のＳＣモードおよびＤＣモード間の遷移をトリガするために使用されてもよい。一般に、これらのモードの目的は、ＳＣモードの有利な電力消費量とＤＣモードの改良されたパフォーマンス（性能）とのバランスを取ることである。
【００３７】
ＷＴＲＵへのＳＣモードおよびＤＣモードの割り当ては、さまざまな方法で実施されてもよい。単に例として、ネットワークはＳＣモードおよびＤＣモードの各々に対して無線ブロックの数を指定することができる。ＳＣモードの開始は、ＴＢＦ割り当てメッセージから固定のオフセットでネットワークによって設定されてもよい。代替として、ネットワークは、マルチフレーム構造の特定のフレーム／ブロックの発生を、特定のタイプの操作（つまり、指定されたＳＣおよび指定されたＤＣ伝送の機会）のみに限定することができる。ＳＣモードおよびＤＣモードの割り当ての変更は、ＤＬパケット制御ブロックを介してＴＢＦ内で変更されてもよい。
【００３８】
ＳＣモードおよびＤＣモードの割り当ては、要望に応じて、セル内のＷＴＲＵごとに単独で、またはセル内のすべてのＷＴＲＵのサブセットに対して、またはセル内のすべてのＷＴＲＵに対して同時に、行われてもよい。
【００３９】
同様に、上記で説明された方法が、ＵＬデータに適用されてもよい。上記で説明されている方法をＵＬデータに適用する場合の１つの相違点は、ＴＦＩ検出に代わって、ＵＳＦパラメータの検出が、ＷＴＲＵによってＤＬでそれぞれ主搬送波（Ｃ１）および２次搬送波（Ｃ２）で実行されることである。
【００４０】
もう１つの実施形態において、動的デバイス機能が、ＷＴＲＵによってネットワークに信号で送信されてもよい。典型的には、「背景技術」において説明されているように、ＷＴＲＵはその機能をネットワークに信号で送る。これらの機能は一般に、ＷＴＲＵのハードウェアおよびソフトウェアによって定義される固定の機能である。これらの固定の機能は、電力およびマルチスロット機能などのパラメータを含む。これらのパラメータは、「静的ＷＴＲＵ機能（ｓｔａｔｉｃ  ＷＴＲＵ  ｃａｐａｂｉｌｉｔｙ）」と呼ばれるが、これはＷＴＲＵが何を送信および受信できるかに対して絶対的限定を設定する。
【００４１】
ＧＥＲＡＮエボリューション（Ｅｖｏｌｕｔｉｏｎ）は、ＷＴＲＵのパフォーマンスおよび機能を向上させるためにいくつかの新しい機能を導入している。これらの新しい機能は、ハードウェア、ソフトウェア、メモリ、およびたとえばバッテリ容量などの電源を含む補足的なＷＴＲＵリソースを必要とする。ＷＴＲＵが高い負荷を受けていて、「静的ＷＴＲＵ機能」によって課された限度までＤＬおよびＵＬ通信をサポートすることができないような状況もありうる。したがって、ＷＴＲＵは、「動的デバイス機能」のセットをネットワークに信号で送ることができるとしている。これらの「動的デバイス機能」は、使用可能なＷＴＲＵリソースに応じて時間の経過と共に変化することがある。その信号通知は、定期的に、あるいはネットワークによるポーリングに応答して、またはＷＴＲＵ開始時に実行されてもよい。ＵＬデータ転送のための既存のＥＧＰＲＳプロトコルが使用されてもよい。
【００４２】
図４を参照すると、ＷＴＲＵは、その静的ＷＴＲＵ機能を決定する（ステップ４１０）。次いで、ＷＴＲＵは、リソース可用性（利用可能性）を監視する（ステップ４２０）。監視されるリソースは、メモリなどのハードウェアリソース、電力消費、熱放散、伝送電力、残存バッテリ期間および予測電力消費などのバッテリリソース、および無線リソースを含むことができる。次いで、あらかじめ定められているか動的であってもよいさまざまな基準に基づいて、ＷＴＲＵは、「動的デバイス機能」メッセージがネットワークに送信される必要があるかどうかを決定する（ステップ４３０）。通常、監視されるパラメータ、またはパラメータのグループは、「動的デバイス機能」メッセージをトリガするさまざまなしきい値を超えている。次いで、ＷＴＲＵは、「動的デバイス機能」メッセージをネットワークに伝送する（ステップ４４０）。「動的デバイス機能」メッセージを受信するネットワークは、この情報をＵＬおよびＤＬリソース割り振りに使用する。
【００４３】
ＷＴＲＵリソースの可用性に応じて、ＷＴＲＵは、そのマルチスロットクラスを減らすか、あるいは伝送電力レベルを低下させるか、あるいは好ましい周波数のセットを選択するか、または回避すべき周波数のセットを識別することができる。伝送電力レベルの低下は、絶対レベルとして、または以前もしくは既知の電力レベルに関連する値として指示されてもよい。加えて、変調および符号化方式（ＭＣＳ）クラスの順序付けは、高位のＭＣＳがより厳しいＷＴＲＵの要求に沿うように調整されてもよい。特定のＭＣＳクラスが、全部回避されてもよい。上記の説明はすべて、「動的デバイス機能」メッセージを使用することにより変更されうるパラメータの例である。
【００４４】
もう１つの実施形態において、ＷＴＲＵのＲＥＤＨＯＴマルチスロット機能およびＷＴＲＵのＨＵＧＥ機能は、ＭＳ  Ｃｌａｓｓｍａｒｋ  Ｔｙｐｅ  ３  ＩＥまたはＭＳ  ＲＡＣ  ＩＥのいずれか、またはその両方に含まれる。ＲＥＤＨＯＴ対応のＷＴＲＵは、そのＥＧＰＲＳマルチスロットクラスに加えて、そのＲＥＤＨＯＴマルチスロットクラスを明示的に信号で送ることができる。現在のＥＧＰＲＳマルチスロットクラスの定義は、２つの異なる値フィールドを使用して変更される。１つの値フィールドは、ＥＧＰＲＳに有効なマルチスロットクラス値である。第２の値フィールドは、サポートされる少なくとも１つの特定のＲＥＤＨＯＴレベル（レベルＡまたはＢ）に有効である。複数の第２の値フィールドは、異なるＲＥＤＨＯＴレベルに使用されてもよい。代替として、第２の値フィールドは、両方のＲＥＤＨＯＴレベル（レベルＡおよびＢ）のサポートを指示する。同様に、１つまたは複数の第２の値フィールドは、ＨＵＧＥおよびその各々の機能レベルについて使用されてもよい。
【００４５】
ＲＥＤＨＯＴまたはＨＵＧＥ対応のＷＴＲＵは、その一般的なマルチスロット機能に従ってサポートされた場合と比較して、ＲＥＤＨＯＴのそのマルチスロットサポートにおけるデルタ（差分）を明示的に指示することができ、デルタ（差分）をネットワークに指示することができる。たとえば、３ビットフィールドは、デュアルキャリア対応のＷＴＲＵの受信マルチスロット機能縮小を指示することができる。そのフィールドは、以下のように符号化されてもよい。
【００４６】
【表４】
2010536262.tif 000006
【００４７】
代替として、ネットワークまたはＷＴＲＵは、ＥＧＰＲＳタイムスロット構成とＲＥＤＨＯＴまたはＨＵＧＥタイムスロット構成との関係でハードコード化（変更できないようにコード化）されてもよい。これらのハードコード化関係は、あらかじめ定められていても、または定期的な信号通知に基づいてもよい。ハードコード化関係は、サブセットまたは組合せとして、あるいは１つまたは複数の参照ＥＧＰＲＳタイムスロット構成との関係で、または他のＲＥＤＨＯＴレベルの有効な組合せとして、ＲＥＤＨＯＴまたはＨＵＧＥと共に使用が許容される適格な受信または送信タイムスロット構成を定義することができる。
【００４８】
異なるハードコード化関係、またはマルチスロット機能縮小は、異なるＲＥＤＨＯＴ  ＡおよびＢ、ならびにＨＵＧＥ  Ａ、Ｂ、およびＣのレベルの各々に対してＷＴＲＵとネットワーク間で信号通知されてもよい。信号通知された関係は、既存のＥＧＰＲＳマルチスロットクラスとの差として、または別のＲＥＤＨＯＴまたはＨＵＧＥレベルとのデルタ（差分）によって表されてもよい。
【００４９】
上記のハードコード化関係はその上、ＨＵＧＥマルチスロット機能に適用されてもよい。もちろん、ＨＵＧＥの場合、伝送タイムスロット、および非受信タイムスロットの数およびクラスが指示されるということになる。ルールまたはプロシージャによって信号通知または符号化されたマルチスロット縮小値は、所定のＲＥＤＨＯＴまたはＨＵＧＥレベルに適用されてもよいが、レベルのサブセットに適用されることもできる。代替として、これらは、ＷＴＲＵで実施されるすべてのＲＥＤＨＯＴまたはＨＵＧＥレベルに適用することができる。
【００５０】
ＷＴＲＵによるＲＥＤＨＯＴまたはＨＵＧＥサポートは、ＷＴＲＵが、適用可能なレベルごと、または選択された参照クラスごとにＲＥＤＨＯＴまたはＨＵＧＥマルチスロット機能縮小を指示するとき、ネットワークによって暗示（ｉｍｐｌｙ）される。
【００５１】
別の実施形態において、ネットワークは、ＤＬでＷＴＲＵへの基地局伝送に固定的（静的）または設定（変更）可能な電力オフセット値を実施するか、またはＥＧＰＲＳ−２伝送に対してＷＴＲＵによるＵＬ伝送の電力オフセット値を信号通信してもよい。電力オフセット値は、システム情報メッセージを使用してブロードキャストの方法で信号通知されるか、またはパケットＵＬ割り当てのリソース割り振り中に信号通知されてもよい。電力オフセット値はまた、基地局およびＷＴＲＵに既知のルールのセットにハードコード化されてもよい。一例として、ＷＴＲＵは、ＵＬで１６直交振幅変調（１６−ＱＡＭ；１６  ｑｕａｄｒａｔｕｒｅ  ａｍｐｌｉｔｕｄｅ  ｍｏｄｕｌａｔｉｏｎ）および高速シンボルレート（ｈｉｇｈ  ｓｙｍｂｏｌ  ｒａｔｅ）を使用して情報を伝送できる状態にある。電力制御メカニズムは、２１ｄＢｍがＷＴＲＵによって使用されるべきであると決定する。３ｄＢのオフセット値で、ＷＴＲＵは、ＵＬバーストを１８  ｄＢＭで伝送する。ネットワークは、オフセット値を、より高次の変調、より高速のシンボルレート、またはこれら２つの組合せに指定するよう選択することができる。代替として、一層高い電力が通常使用される場合には、ＢＣＣＨ周波数でリソースの割り当てを防ぐセルホッピング層も使用されてもよい。代替として、ＢＣＣＨチャネルは、ＥＧＰＲＳ−２伝送に適用される適切な電力オフセット値で使用されてもよい。
【００５２】
図５を参照すると、ＷＴＲＵ５００は、送受信機５０５、主搬送波デバイス５１２および２次搬送波デバイス５１４を含むＤＬＤＣプロセッサ５１０、プロセッサ５１５、およびリソースモニタ５２０を含む。送受信機５０５と組み合わされて、ＤＬＤＣプロセッサ５１０は、当業者に知られているような、および図３を参照して本明細書において説明されているようなさまざまなＤＬＤＣモードを実施するように構成されている。主搬送波デバイス５１２および２次搬送波デバイス５１４は、ＤＬＤＣモードにあるとき、主搬送波および２次搬送波を監視するように構成されている。ＤＬＤＣプロセッサ５１０は、主搬送波デバイス５１２および２次搬送波デバイス５１４を選択し、切り替えて、本明細書に開示される方法を実施するように構成されている。リソースモニタ５２０は、使用可能なＷＴＲＵリソースを監視するように構成され、プロセッサ５１５と組み合わされて、本明細書に開示される動的デバイス機能メッセージを生成するように構成されている。プロセッサ５１５は、送受信機と組み合わされて、動的デバイス要求メッセージおよびＭＳ  Ｃｌａｓｓｍａｒｋ  ＩＥを含む本明細書において開示されているさまざまなメッセージを生成して送信し、かつ受信して処理するように構成されている。
【００５３】
引き続き図５を参照すると、基地局５５０は、送受信機５５５、主搬送波デバイス５６２および２次搬送波デバイス５６４を含むＤＬＤＣプロセッサ５６０、およびプロセッサ５６５を含む。送受信機５５５と組み合わされて、ＤＬＤＣプロセッサ５６０は、当業者に知られているような、および図３を参照して本明細書において説明されているようなさまざまなＤＬＤＣモードを実施するように構成されている。主搬送波デバイス５６２および２次搬送波デバイス５６４はそれぞれ、主搬送波および２次搬送波を生成するように構成されている。ＤＬＤＣプロセッサ５６０と組み合わされて、主搬送波デバイス５６２および２次搬送波デバイス５６４は、図３を参照してＤＬＤＣ操作について本明細書に開示される方法を実施する。主搬送波デバイス５６２および２次搬送波デバイス５６４の制御および選択は、ＤＬＤＣプロセッサ５６０によって処理される。プロセッサ５６５は、送受信機５５５と組み合わされて、本明細書において開示されているＭＳ  Ｃｌａｓｓｍａｒｋ情報要素および動的デバイス機能メッセージを含むさまざまな機能メッセージを受信して処理する。プロセッサ５６５はさらに、この場合も本明細書において開示されているように、受信した機能メッセージに基づいてリソースを割り振るように構成されている。
【００５４】
本願の機能および要素は特定の組合せで実施形態において説明されているが、各々の機能または要素は、他の機能および要素を用いることなく単独で使用するか、または他の機能および要素の有無にかかわらずさまざまな組合せで使用することができる。開示されている方法または流れ図は、汎用コンピュータまたはプロセッサによって実行するためにコンピュータ可読記憶媒体において明白に具現されるコンピュータプログラム、ソフトウェア、またはファームウェアで実施することができる。コンピュータ可読記憶媒体の例は、読み取り専用メモリ（ＲＯＭ）、ランダムアクセスメモリ（ＲＡＭ）、レジスタ、キャッシュメモリ、半導体メモリデバイス、内蔵ハードディスクおよび取り外し可能ディスクなどの磁気媒体、磁気光学媒体、ＣＤ−ＲＯＭディスクおよびデジタル多用途ディスク（ＤＶＤ）などの光媒体を含んでいる。
【００５５】
適切なプロセッサは、例として、汎用プロセッサ、特殊用途プロセッサ、標準的なプロセッサ、デジタルシグナルプロセッサ（ＤＳＰ）、複数のマイクロプロセッサ、ＤＳＰコアと関連する１つまたは複数のマイクロプロセッサ、コントローラ、マイクロコントローラ、特殊用途向け集積回路（ＡＳＩＣ）、フィールドプログラマブルゲートアレイ（ＦＰＧＡ；Ｆｉｅｌｄ  Ｐｒｏｇｒａｍｍａｂｌｅ  Ｇａｔｅ  Ａｒｒａｙ；現場で書き換え可能なゲートアレイ）回路、他の任意のタイプの集積回路（ＩＣ）、および／またはステートマシーン（状態機械）を含んでいる。
【００５６】
ソフトウェアと関連するプロセッサは、ＷＴＲＵ（無線送受信ユニット）、ユーザ機器（ＵＥ）、端末、基地局、無線ネットワークコントローラ（ＲＮＣ）、または任意のホストコンピュータにおいて使用する無線周波数送受信機を実施するために使用することができる。ＷＴＲＵは、カメラ、ビデオカメラモジュール、テレビ電話、スピーカーホン、振動装置、スピーカー、マイクロホン、テレビ送受信機、ハンドフリーヘッドセット、キーボード、ブルートゥース（Ｂｌｕｅｔｏｏｔｈ）（登録商標）モジュール、周波数変調（ＦＭ）無線装置、液晶ディスプレイ（ＬＣＤ）表示装置、有機発光ダイオード（ＯＬＥＤ；ｏｒｇａｎｉｃ  ｌｉｇｈｔ−ｅｍｉｔｔｉｎｇ  ｄｉｏｄｅ）表示装置、デジタル音楽プレイヤー、メディアプレイヤー、テレビゲームプレイヤーモジュール、インターネットブラウザ、および／または任意の無線ローカルエリアネットワーク（ＷＬＡＮ）モジュールなど、ハードウェアおよび／またはソフトウェアにおいて実施されるモジュールと共に使用することができる。
【００５７】
実施形態
１．ＷＴＲＵ（無線送信／受信ユニット）において使用する方法であって、
アップリンクデータを基地局に伝送するための電力レベルを計算するステップと、
アップリンクデータを変調するための変調方式を選択するステップと、
高次変調方式の選択に応答して電力オフセット値に従いアップリンク伝送電力レベルを調整するステップと
を備えることを特徴とする方法。
２．調整されたアップリンク電力レベルにおいてアップリンクデータを伝送するステップをさらに備えることを特徴とする実施形態１に記載の方法。
３．電力オフセット値を含むメッセージを基地局から受信するステップをさらに備えることを特徴とする実施形態１または２に記載の方法。
４．メッセージはＢＣＣＨ（ブロードキャスト制御チャネル）を介して受信されることを特徴とする実施形態３に記載の方法。
５．ＷＴＲＵ（無線送信／受信ユニット）において使用する方法であって、
アップリンクデータを基地局に伝送するための電力レベルを計算するステップと、
アップリンクデータを変調するためのシンボルレートを選択するステップと、
高速シンボルレートの選択に応答して電力オフセット値に従いアップリンク伝送電力レベルを調整するステップと
を備えることを特徴とする方法。
６．調整されたアップリンク電力レベルにおいてアップリンクデータを伝送するステップをさらに備えることを特徴とする実施形態５に記載の方法。
７．電力オフセット値を含むメッセージを基地局から受信するステップをさらに備えることを特徴とする実施形態５または６に記載の方法。
８．メッセージはＢＣＣＨ（ブロードキャスト制御チャネル）を介して受信されることを特徴とする実施形態７に記載の方法。
９．アップリンクデータを基地局に伝送するための電力レベルを計算し、
アップリンクデータを変調するための変調方式を選択し、
高次変調方式の選択に応答して電力オフセット値に従いアップリンク伝送電力レベルを調整するように構成されたプロセッサを備えることを特徴とするＷＴＲＵ（無線送信／受信ユニット）。
１０．調整されたアップリンク電力レベルにおいてアップリンクデータを伝送するように構成された送信機をさらに備えることを特徴とする実施形態９に記載のＷＴＲＵ。
１１．電力オフセット値を含むメッセージを基地局から受信するように構成された受信機をさらに備えることを特徴とする実施形態９または１０に記載のＷＴＲＵ。
１２．メッセージはＢＣＣＨ（ブロードキャスト制御チャネル）を介して受信されることを特徴とする実施形態１１に記載のＷＴＲＵ。
１３．アップリンクデータを基地局に伝送するための電力レベルを計算し、
アップリンクデータを変調するためのシンボルレートを選択し、
高速シンボルレートの選択に応答して電力オフセット値に従いアップリンク伝送電力レベルを調整するように構成されたプロセッサを備えることを特徴とするＷＴＲＵ（無線送信／受信ユニット）。
１４．調整されたアップリンク電力レベルにおいてアップリンクデータを伝送するように構成された送信機をさらに備えることを特徴とする実施形態１３に記載のＷＴＲＵ。
１５．電力オフセット値を含むメッセージを基地局から受信するように構成された受信機をさらに備えることを特徴とする実施形態１３または１４に記載のＷＴＲＵ。
１６．メッセージはＢＣＣＨ（ブロードキャスト制御チャネル）を介して受信されることを特徴とする実施形態１５に記載のＷＴＲＵ。
１７．ＥＧＰＲＳ−２（ｅｎｈａｎｃｅｄ  ｇｅｎｅｒａｌ  ｐａｃｋｅｔ  ｒａｄｉｏ  ｓｅｒｖｉｃｅ  ２；拡張汎用パケット無線サービス２）ＷＴＲＵ（無線送信／受信ユニット）において使用する方法であって、
ＷＴＲＵのＧＰＲＳ（ｇｅｎｅｒａｌ  ｐａｃｋｅｔ  ｒａｄｉｏ  ｓｅｒｖｉｃｅ；汎用パケット無線サービス）マルチスロットクラスを決定するステップと、
ＷＴＲＵのＥＧＰＲＳ−２マルチスロット機能を決定するステップと、
ＷＴＲＵの決定されたＧＰＲＳマルチスロットクラスとＷＴＲＵの決定されたＥＧＰＲＳ−２マルチスロット機能との相違の指示を含むメッセージを生成するステップとを備えることを特徴とする方法。
１８．メッセージを基地局に伝送するステップをさらに備えることを特徴とする実施形態１７に記載の方法。
１９．ＷＴＲＵのＥＧＰＲＳ−２マルチスロット機能は、ＲＥＤＨＯＴ（ｒｅｄｕｃｅｄ  ｓｙｍｂｏｌ  ｄｕｒａｔｉｏｎ、ｈｉｇｈｅｒ  ｏｒｄｅｒ  ｍｏｄｕｌａｔｉｏｎ  ａｎｄ  ｔｕｒｂｏ  ｃｏｄｉｎｇ）機能に関連することを特徴とする実施形態１７に記載の方法。
２０．ＷＴＲＵのＥＧＰＲＳ−２マルチスロット機能は、ＨＵＧＥ（ｈｉｇｈｅｒ  ｕｐｌｉｎｋ  ｐｅｒｆｏｒｍａｎｃｅ  ｆｏｒ  ＧＥＲＡＮ  ｅｖｏｌｕｔｉｏｎ）機能に関連することを特徴とする実施形態１７に記載の方法。
２１．生成されるメッセージはＭＳ（移動局）Ｃｌａｓｓｍａｒｋ  Ｔｙｐｅ  ３  ＩＥ（情報要素）であることを特徴とする実施形態１７に記載の方法。
２２．生成されるメッセージはＭＳ（移動局）ＲＡＣ（ｒａｄｉｏ  ａｃｃｅｓｓ  ｃａｐａｂｉｌｉｔｙ；無線アクセス機能）ＩＥ（情報要素）であることを特徴とする実施形態１７に記載の方法。
２３．ＥＧＰＲＳ−２マルチスロット機能はＲＥＤＨＯＴレベルＡに関連することを特徴とする実施形態１９に記載の方法。
２４．ＥＧＰＲＳ−２マルチスロット機能はＲＥＤＨＯＴレベルＢに関連することを特徴とする実施形態１９に記載の方法。
２５．ＥＧＰＲＳ−２マルチスロット機能はＨＵＧＥレベルＡに関連することを特徴とする実施形態２０に記載の方法。
２６．ＥＧＰＲＳ−２マルチスロット機能はＨＵＧＥレベルＢに関連することを特徴とする実施形態２０に記載の方法。
２７．ＥＧＰＲＳ−２マルチスロット機能はＨＵＧＥレベルＣに関連することを特徴とする実施形態２０に記載の方法。
２８．指示は受信マルチスロット機能縮小を指示する３ビットフィールドであることを特徴とする実施形態１７に記載の方法。
２９．３ビットフィールドは以下のように符号化されることを特徴とする実施形態２８に記載の方法。
【００５８】
【表５】
2010536262.tif 000007
【００５９】
３０．ＥＧＰＲＳ−２（ｅｎｈａｎｃｅｄ  ｇｅｎｅｒａｌ  ｐａｃｋｅｔ  ｒａｄｉｏ  ｓｅｒｖｉｃｅ  ２；拡張汎用パケット無線サービス２）ＷＴＲＵ（無線送信／受信ユニット）において使用する方法であって、
ＷＴＲＵのＧＰＲＳ（ｇｅｎｅｒａｌ  ｐａｃｋｅｔ  ｒａｄｉｏ  ｓｅｒｖｉｃｅ；汎用パケット無線サービス）マルチスロットクラスを決定するステップと、
ＷＴＲＵのＥＧＰＲＳ−２マルチスロット機能を決定するステップと、
ＷＴＲＵの決定されたＧＰＲＳマルチスロットクラスとＷＴＲＵの決定されたＥＧＰＲＳ−２マルチスロット機能との相違のハードコード化された指示を格納するステップとを備えることを特徴とする方法。
３１．ＷＴＲＵのＥＧＰＲＳ−２マルチスロット機能は、ＲＥＤＨＯＴ（ｒｅｄｕｃｅｄ  ｓｙｍｂｏｌ  ｄｕｒａｔｉｏｎ、ｈｉｇｈｅｒ  ｏｒｄｅｒ  ｍｏｄｕｌａｔｉｏｎ  ａｎｄ  ｔｕｒｂｏ  ｃｏｄｉｎｇ）機能に関連することを特徴とする実施形態３０に記載の方法。
３２．ＷＴＲＵのＥＧＰＲＳ−２マルチスロット機能は、ＨＵＧＥ（ｈｉｇｈｅｒ  ｕｐｌｉｎｋ  ｐｅｒｆｏｒｍａｎｃｅ  ｆｏｒ  ＧＥＲＡＮ  ｅｖｏｌｕｔｉｏｎ）機能に関連することを特徴とする実施形態３０に記載の方法。
３３．ＥＧＰＲＳ−２マルチスロット機能はＲＥＤＨＯＴレベルＡに関連することを特徴とする実施形態３１に記載の方法。
３４．ＥＧＰＲＳ−２マルチスロット機能はＲＥＤＨＯＴレベルＢに関連することを特徴とする実施形態３１に記載の方法。
３５．ＥＧＰＲＳ−２マルチスロット機能はＨＵＧＥレベルＡに関連することを特徴とする実施形態３２に記載の方法。
３６．ＥＧＰＲＳ−２マルチスロット機能はＨＵＧＥレベルＢに関連することを特徴とする実施形態３２に記載の方法。
３７．ＥＧＰＲＳ−２マルチスロット機能はＨＵＧＥレベルＣに関連することを特徴とする実施形態３２に記載の方法。
３８．ＷＴＲＵのＧＰＲＳ（ｇｅｎｅｒａｌ  ｐａｃｋｅｔ  ｒａｄｉｏ  ｓｅｒｖｉｃｅ；汎用パケット無線サービス）マルチスロットクラスを決定し、
ＷＴＲＵのＥＧＰＲＳ−２マルチスロット機能を決定するように構成されたプロセッサを備えることを特徴とするＷＴＲＵ（無線送信／受信ユニット）。
３９．ＷＴＲＵの決定されたＧＰＲＳマルチスロットクラスとＷＴＲＵの決定されたＥＧＰＲＳ−２マルチスロット機能との相違の指示を含むメッセージを生成するように構成されたメッセージジェネレータをさらに備えることを特徴とする実施形態３８に記載のＷＴＲＵ。
４０．メッセージを基地局に伝送するように構成された送信機をさらに備えることを特徴とする実施形態３９に記載のＷＴＲＵ。
４１．ＷＴＲＵのＥＧＰＲＳ−２マルチスロット機能は、ＲＥＤＨＯＴ（ｒｅｄｕｃｅｄ  ｓｙｍｂｏｌ  ｄｕｒａｔｉｏｎ、ｈｉｇｈｅｒ  ｏｒｄｅｒ  ｍｏｄｕｌａｔｉｏｎ  ａｎｄ  ｔｕｒｂｏ  ｃｏｄｉｎｇ）機能に関連することを特徴とする実施形態３８に記載のＷＴＲＵ。
４２．ＷＴＲＵのＥＧＰＲＳ−２マルチスロット機能は、ＨＵＧＥ（ｈｉｇｈｅｒ  ｕｐｌｉｎｋ  ｐｅｒｆｏｒｍａｎｃｅ  ｆｏｒ  ＧＥＲＡＮ  ｅｖｏｌｕｔｉｏｎ）機能に関連することを特徴とする実施形態３８に記載のＷＴＲＵ。
４３．生成されるメッセージはＭＳ（移動局）Ｃｌａｓｓｍａｒｋ  Ｔｙｐｅ  ３  ＩＥ（情報要素）であることを特徴とする実施形態３９に記載のＷＴＲＵ。
４４．生成されるメッセージはＭＳ（移動局）ＲＡＣ（ｒａｄｉｏ  ａｃｃｅｓｓ  ｃａｐａｂｉｌｉｔｙ；無線アクセス機能）ＩＥ（情報要素）であることを特徴とする実施形態３９に記載のＷＴＲＵ。
４５．ＥＧＰＲＳ−２マルチスロット機能はＲＥＤＨＯＴレベルＡに関連することを特徴とする実施形態４１に記載のＷＴＲＵ。
４６．ＥＧＰＲＳ−２マルチスロット機能はＲＥＤＨＯＴレベルＢに関連することを特徴とする実施形態４１に記載のＷＴＲＵ。
４７．ＥＧＰＲＳ−２マルチスロット機能はＨＵＧＥレベルＡに関連することを特徴とする実施形態４２に記載のＷＴＲＵ。
４８．ＥＧＰＲＳ−２マルチスロット機能はＨＵＧＥレベルＢに関連することを特徴とする実施形態４２に記載のＷＴＲＵ。
４９．ＥＧＰＲＳ−２マルチスロット機能はＨＵＧＥレベルＣに関連することを特徴とする実施形態４２に記載のＷＴＲＵ。
５０．指示は受信マルチスロット機能縮小を指示する３ビットフィールドであることを特徴とする実施形態３９に記載のＷＴＲＵ。
５１．３ビットフィールドは以下のように符号化されることを特徴とする実施形態５０に記載のＷＴＲＵ。
【００６０】
【表６】
2010536262.tif 000008
【００６１】
５２．プロセッサは、ＷＴＲＵの決定されたＧＰＲＳマルチスロットクラスとＷＴＲＵの決定されたＥＧＰＲＳ−２マルチスロット機能との相違のハードコード化された指示を格納するようにさらに構成されることを特徴とする実施形態３８に記載のＷＴＲＵ。
５３．ＷＴＲＵのＥＧＰＲＳ−２マルチスロット機能は、ＲＥＤＨＯＴ（ｒｅｄｕｃｅｄ  ｓｙｍｂｏｌ  ｄｕｒａｔｉｏｎ、ｈｉｇｈｅｒ  ｏｒｄｅｒ  ｍｏｄｕｌａｔｉｏｎ  ａｎｄ  ｔｕｒｂｏ  ｃｏｄｉｎｇ）機能に関連することを特徴とする実施形態５２に記載のＷＴＲＵ。
５４．ＷＴＲＵのＥＧＰＲＳ−２マルチスロット機能は、ＨＵＧＥ（ｈｉｇｈｅｒ  ｕｐｌｉｎｋ  ｐｅｒｆｏｒｍａｎｃｅ  ｆｏｒ  ＧＥＲＡＮ  ｅｖｏｌｕｔｉｏｎ）機能に関連することを特徴とする実施形態５２に記載のＷＴＲＵ。
５５．ＥＧＰＲＳ−２マルチスロット機能はＲＥＤＨＯＴレベルＡに関連することを特徴とする実施形態５３に記載のＷＴＲＵ。
５６．ＥＧＰＲＳ−２マルチスロット機能はＲＥＤＨＯＴレベルＢに関連することを特徴とする実施形態５３に記載のＷＴＲＵ。
５７．ＥＧＰＲＳ−２マルチスロット機能はＨＵＧＥレベルＡに関連することを特徴とする実施形態５４に記載のＷＴＲＵ。
５８．ＥＧＰＲＳ−２マルチスロット機能はＨＵＧＥレベルＢに関連することを特徴とする実施形態５４に記載のＷＴＲＵ。
５９．ＥＧＰＲＳ−２マルチスロット機能はＨＵＧＥレベルＣに関連することを特徴とする実施形態５４に記載のＷＴＲＵ。
６０．ＤＬＤＣ（ダウンリンクデュアルキャリア）対応のＷＴＲＵ（無線送信／受信ユニット）において使用する方法であって、
２次搬送波がアイドル状態にある間、ＷＴＲＵに関連付けられているＴＦＩ（伝送フォーマットインジケータ）について主搬送波を監視するステップと、
主搬送波でのＷＴＲＵに関連付けられているＴＦＩの受信に応答して、２次搬送波をアクティブ化するステップと、
主搬送波および２次搬送波の両方でダウンリンクデータを受信するステップとを備える方法。
６１．主搬送波はＷＴＲＵに割り当てられることを特徴とする実施形態６０に記載の方法。
６２．主搬送波はパケット割り当てメッセージでＷＴＲＵに割り当てられることを特徴とする実施形態６１に記載の方法。
６３．受信されるパケットの順序は主搬送波割り当てを暗示することを特徴とする実施形態６１に記載の方法。
６４．主搬送波および２次搬送波の両方でダウンリンクデータを受信するステップは、ＷＴＲＵに関連付けられているＴＦＩの受信から時間単位のオフセット後に開始することを特徴とする実施形態６０に記載の方法。
６５．オフセットは、ＷＴＲＵに関連付けられているＴＦＩを受信した後の無線ブロックの数であり、オフセットは基地局からメッセージで受信されることを特徴とする実施形態６４に記載の方法。
６６．オフセットはあらかじめ定められていることを特徴とする実施形態６４または６５に記載の方法。
６７．オフセットは設定（変更）可能であることを特徴とする実施形態６４または６５に記載の方法。
６８．主搬送波および２次搬送波の両方でダウンリンクデータを受信するステップは同時に発生することを特徴とする実施形態６０に記載の方法。
６９．主搬送波および２次搬送波の両方でダウンリンクデータを受信するステップは交互の方式で発生することを特徴とする実施形態６０に記載の方法。
７０．交互の方式は基地局からのメッセージで受信されることを特徴とする実施形態６９に記載の方法。
７１．あらかじめ定められた基準を満たすとシングルキャリアモードに復帰するステップをさらに備えることを特徴とする実施形態６０から７０のいずれか一項に記載の方法。
７２．あらかじめ定められた基準は、指定された期間、マルチフレーム構造の所定のフレーム、または指定されたイベントの発生であることを特徴とする実施形態７１に記載の方法。
７３．あらかじめ定められた基準は基地局からのメッセージで受信されることを特徴とする実施形態７２に記載の方法。
７４．ＤＬＤＣ（ダウンリンクデュアルキャリア）操作を行うことができるＷＴＲＵ（無線送信／受信ユニット）であって、
主搬送波および２次搬送波を介して基地局からダウンリンク伝送を受信するように構成された受信機と、
ＷＴＲＵに関連付けられているＴＦＩ（伝送フォーマットインジケータ）を検出するために主搬送波を介して受信された伝送を監視するように構成されたＤＬＤＣプロセッサとを備え、
ＷＴＲＵに関連付けられているＴＦＩの検出に応答して、ＤＬＤＣプロセッサはさらに、２次搬送波を介して受信された伝送を処理するように構成されることを特徴とするＷＴＲＵ。
７５．主搬送波はＷＴＲＵに割り当てられることを特徴とする実施形態７４に記載のＷＴＲＵ。
７６．主搬送波はパケット割り当てメッセージでＷＴＲＵに割り当てられることを特徴とする実施形態７５に記載のＷＴＲＵ。
７７．受信されるパケットの順序は主搬送波割り当てを暗示することを特徴とする実施形態７５に記載のＷＴＲＵ。
７８．主搬送波および２次搬送波の両方でダウンリンクデータを受信するステップは、ＷＴＲＵに関連付けられているＴＦＩの受信から時間単位のオフセット後に開始することを特徴とする実施形態７４に記載のＷＴＲＵ。
７９．オフセットは、ＷＴＲＵに関連付けられているＴＦＩを受信した後の無線ブロックの数であり、オフセットは基地局からのメッセージで受信されることを特徴とする実施形態７８に記載のＷＴＲＵ。
８０．オフセットはあらかじめ定められていることを特徴とする実施形態７８または７９に記載のＷＴＲＵ。
８１．オフセットは設定（変更）可能であることを特徴とする実施形態７８または７９に記載のＷＴＲＵ。
８２．主搬送波および２次搬送波の両方でダウンリンクデータを受信するステップは同時に発生することを特徴とする実施形態７４に記載のＷＴＲＵ。
８３．主搬送波および２次搬送波の両方でダウンリンクデータを受信するステップは交互の方式で発生することを特徴とする実施形態７４に記載のＷＴＲＵ。
８４．交互の方式は基地局からのメッセージで受信されることを特徴とする実施形態８３に記載のＷＴＲＵ。
８５．ＤＬＤＣプロセッサはあらかじめ定められた基準を満たすとシングルキャリアモードに復帰するようにさらに構成されることを特徴とする実施形態７４から８４のいずれか一項に記載のＷＴＲＵ。
８６．あらかじめ定められた基準は、指定された期間、マルチフレーム構造の所定のフレーム、または指定されたイベントの発生であることを特徴とする実施形態８５に記載のＷＴＲＵ。
８７．あらかじめ定められた基準は基地局からのメッセージで受信されることを特徴とする実施形態８６に記載のＷＴＲＵ。
【図１】
2010536262.tif 000009
【図２】
2010536262.tif 000010
【図３Ａ】
2010536262.tif 000011
【図３Ｂ】
2010536262.tif 000012
【図４】
2010536262.tif 000013
【図５】
2010536262.tif 000014
【手続補正書】
【提出日】平成22年4月8日(2010.4.8)
【手続補正１】
【補正対象書類名】特許請求の範囲
【補正対象項目名】全文
【補正方法】変更
【補正の内容】
【特許請求の範囲】
【請求項１】
ＷＴＲＵ（無線送信／受信ユニット）で使用する方法であって、
アップリンクデータを基地局に送信するための電力レベルを計算するステップと、
前記アップリンクデータを変調するための変調方式を選択するステップと、
高次変調方式の選択に応じて電力オフセット値に従いアップリンク伝送電力レベルを調整するステップと、
前記調整されたアップリンク伝送電力レベルで前記アップリンクデータを前記基地局へ送信するステップと
を含むことを特徴とする方法。
【請求項２】
前記電力オフセット値を含むメッセージを基地局から受信するステップをさらに含むことを特徴とする請求項１に記載の方法。
【請求項３】
前記メッセージがＢＣＣＨ（ブロードキャスト制御チャネル）を介して受信されることを特徴とする請求項２に記載の方法。
【請求項４】
アップリンクデータを基地局に送信するための電力レベルを計算し、前記アップリンクデータを変調するための変調方式を選択し、高次変調方式の選択に応じて電力オフセット値に従いアップリンク伝送電力レベルを調整するように構成されたプロセッサと、
前記調整されたアップリンク伝送電力レベルで前記アップリンクデータを前記基地局へ送信するように構成された送信機と
を具備することを特徴とするＷＴＲＵ。
【請求項５】
前記電力オフセット値を含むメッセージを基地局から受信するように構成された受信機をさらに備えることを特徴とする請求項４に記載のＷＴＲＵ。
【請求項６】
前記メッセージはＢＣＣＨ（ブロードキャスト制御チャネル）を介して受信されることを特徴とする請求項５に記載のＷＴＲＵ。
【請求項７】
ＥＧＰＲＳ−２（ｅｎｈａｎｃｅｄ  ｇｅｎｅｒａｌ  ｐａｃｋｅｔ  ｒａｄｉｏ  ｓｅｒｖｉｃｅ  ２；拡張汎用パケット無線サービス２）のＷＴＲＵ（無線送信／受信ユニット）で使用する方法であって、
前記ＷＴＲＵのＧＰＲＳ（ｇｅｎｅｒａｌ  ｐａｃｋｅｔ  ｒａｄｉｏ  ｓｅｒｖｉｃｅ；汎用パケット無線サービス）のマルチスロットクラスを決定するステップと、
前記ＷＴＲＵの前記ＥＧＰＲＳ−２のマルチスロット機能を決定するステップと、
前記ＷＴＲＵの前記決定されたＧＰＲＳのマルチスロットクラスと前記ＷＴＲＵの前記決定されたＥＧＰＲＳ−２のマルチスロット機能との相違の指示（インジケーション）を含むメッセージを生成するステップと、
前記メッセージを基地局に送信するステップと
を含むことを特徴とする方法。
【請求項８】
ＷＴＲＵ（無線送信／受信ユニット）であって、
前記ＷＴＲＵのＧＰＲＳ（ｇｅｎｅｒａｌ  ｐａｃｋｅｔ  ｒａｄｉｏ  ｓｅｒｖｉｃｅ；汎用パケット無線サービス）のマルチスロットクラスを決定し、前記ＷＴＲＵのＥＧＰＲＳ−２（ｅｎｈａｎｃｅｄ  ｇｅｎｅｒａｌ  ｐａｃｋｅｔ  ｒａｄｉｏ  ｓｅｒｖｉｃｅ  ２；拡張汎用パケット無線サービス２）のマルチスロット機能を決定するように構成されたプロセッサと、
前記ＷＴＲＵの前記決定されたＧＰＲＳのマルチスロットクラスと前記ＷＴＲＵの前記決定されたＥＧＰＲＳ−２のマルチスロット機能との相違の指示（インジケーション）を含むメッセージを生成するように構成されたメッセージジェネレータと、
前記メッセージを基地局に送信するように構成された送信機と
を具備することを特徴とするＷＴＲＵ。
【請求項９】
ＤＬＤＣ（ダウンリンクデュアルキャリア）対応のＷＴＲＵ（無線送信／受信ユニット）で使用する方法であって、
２次搬送波がアイドル状態にある間、前記ＷＴＲＵに関連付けられているＴＦＩ（伝送フォーマットインジケータ）について主搬送波を監視するステップと、
前記主搬送波での前記ＷＴＲＵに関連付けられているＴＦＩの受信に応答して、前記２次搬送波をアクティブ化するステップと、
前記主搬送波および前記２次搬送波の両方でダウンリンクデータを受信するステップと
を含むことを特徴とする方法。
【請求項１０】
前記主搬送波および前記２次搬送波の両方で前記ダウンリンクデータを受信する前記ステップは、前記ＷＴＲＵに関連付けられている前記ＴＦＩの受信から時間単位のオフセット後に開始することを特徴とする請求項９に記載の方法。
【請求項１１】
前記オフセットは基地局からのメッセージで受信されることを特徴とする請求項１０に記載の方法。
【請求項１２】
ＤＬＤＣ（ダウンリンクデュアルキャリア）操作を行うことができるＷＴＲＵ（無線送信／受信ユニット）であって、
主搬送波および２次搬送波を介して基地局からダウンリンク通信を受信するように構成された受信機と、
前記主搬送波を介して受信された通信を監視することで前記ＷＴＲＵに関連付けられているＴＦＩ（伝送フォーマットインジケータ）を検出し、前記ＷＴＲＵに関連付けられている前記ＴＦＩの検出に応じて前記２次搬送波を介して受信された通信を処理するように構成されたＤＬＤＣプロセッサと
を具備することを特徴とするＷＴＲＵ。
【請求項１３】
前記ＤＬＤＣプロセッサは、前記２次搬送波を介して受信された前記通信を処理する前に、前記ＷＴＲＵに関連付けられている前記ＴＦＩを検出した後に時間単位のオフセットの間待機するようにさらに構成されていることを特徴とする請求項１２に記載のＷＴＲＵ。
【請求項１４】
前記受信機は、基地局からのメッセージで前記オフセットを受信するようにさらに構成されていることを特徴とする請求項１３に記載のＷＴＲＵ。
【国際調査報告】
2010536262.tif 000015
2010536262.tif 000016
2010536262.tif 000017
2010536262.tif 000018
2010536262.tif 000019